(57)【特許請求の範囲】
【請求項１】
光源と受光素子とを有する複数の受発光装置から出射された各照射光を交差させ、それらの各照射光を再帰性反射部材で各受発光装置に再帰反射させることにより形成される照射光走査領域である座標入力領域に挿入された指示手段の位置座標を検出する座標入力装置において、
前記座標入力領域は略鉛直方向に配置され、
前記座標入力領域の下端より下方に設けられた前記再帰性反射部材の反射面に対して傾いた傾斜面を有するテーパ形状であって少なくとも前記照射光の通過位置は透明である異物排除部材をその再帰性反射部材上に設けることを特徴とする座標入力装置。
【請求項２】
前記座標入力領域の下端より下方に設けられた前記再帰性反射部材の反射面を前記座標入力領域に対して傾斜させて設け、前記異物排除部材を透過した前記照射光の前記再帰性反射部材の反射面への入射角を略垂直とすることを特徴とする請求項１記載の座標入力装置。
【請求項３】
光源と受光素子とを有する複数の受発光装置から出射された各照射光を交差させ、それらの各照射光を再帰性反射部材で各受発光装置に再帰反射させることにより形成される照射光走査領域である座標入力領域に挿入された指示手段の位置座標を検出する座標入力装置において、
前記座標入力領域は略鉛直方向に配置され、
所定の極性に帯電された導電性薄膜を前記座標入力領域の下端より下方に設けられた前記再帰性反射部材上の前記照射光の非通過位置に設けることを特徴とする座標入力装置。
【請求項４】
前記再帰性反射部材の反射面に対して略直角に設けられ、その再帰性反射部材に直接入射する外部光線を遮断する遮光板を更に備える請求項３記載の座標入力装置。
【請求項５】
前記座標入力領域の上端より上方に設けられ、その座標入力領域に沿って前記座標入力領域の上端から下端に向けて下方へ送風する送風装置を更に備える請求項１ないし４のいずれか一記載の座標入力装置。
【発明の詳細な説明】
【０００１】
【発明の属する技術分野】
本発明は、電子黒板やコンピュータディスプレイ等に取り付けられる入力装置であり、特に図形の描画等の情報をコンピュータに入力する座標入力装置に関する。
【０００２】
【従来の技術】
電子黒板やコンピュータに接続された表示装置であるコンピュータディスプレイ等に利用者の指や利用者が持つペンを接触又は接近させることでその表示画面上の所定の位置を指定することができる座標入力装置の一つとしては、レーザビーム光を回転させながら出射する一対の発光装置と、そのレーザビーム光を反射して再び同一光路を辿る再帰反射光とするコーナーキューブリフレクタで構成される再帰性反射部材と、その再帰反射光を受光する一対の受光装置とを備えて座標位置を検出する光学式の座標入力装置が特開平９−９１０９４号公報に記載されている。この光学式の座標入力装置においては、座標入力領域にはレーザビーム光が走査されており、利用者の指等を座標入力領域に挿入することにより特定の組み合わせのレーザビーム光が遮断され、その遮断された各レーザビーム光の出射角度をそれぞれの受光装置で検出することにより、それらの出射角度に基づいて利用者の指等により指示された座標位置が算出される。
【０００３】
また、コーナーキューブリフレクタ以外の再帰性反射部材としては、例えば『２０００Ｘ（３Ｍ製）』のようなテープ状の再帰性反射シートが知られている。この再帰性反射シートは、コーナーキューブリフレクタに比較して再帰反射特性は劣るものの、低コストであって設置の自由度に優れるという利点を有している。
【０００４】
【発明が解決しようとする課題】
ところが、特開平９−９１０９４号公報に記載されたような光学式の座標入力装置が例えば液晶ディスプレイ、プラズマディスプレイ、平面型ＣＲＴディスプレイ等の表示画面を備えた表示装置に装着された場合や電子黒板の筆記面等に装着された場合、座標入力領域内に粒子の細かなゴミ、塵、埃等の異物が静電気によって付着しやすくなる。また、画面表面に付着して帯電したゴミ等に別のゴミ等が吸着されて大型化したゴミ等は、画面表面から再帰性反射部材上に落下して堆積してしまう。このようにして再帰性反射部材上にゴミ等の異物が堆積した場合、そのゴミ等の異物によってレーザビーム光が遮断されてしまうことがある。このような場合、座標入力装置は付着したゴミ等を利用者の指等による指示として認識してしまうので、誤った情報が電子データとして伝達されてしまい、位置座標検出の信頼性に問題を生じることになる。
【０００５】
一方、再帰性反射部材として再帰性反射シートを使用した場合、この再帰性反射シートがコーナーキューブリフレクタのような完全な再帰反射の性質を備えているわけではないので、正規な再帰反射光以外に散乱光等が発生するという問題がある。この散乱光は、発光装置からのレーザビーム光以外に例えば外部照明から照射される外部光線によっても生じ得る。このように、外部光線が再帰性反射シートに入射することよって生じた散乱光は、受光装置において受光ノイズを発生させたり、表示装置の表示画面の表示品質を低下させる原因となっている。すなわち、再帰性反射シートを使用した座標入力装置においては、受光ノイズの発生により異常な情報が電子データとして伝達されることになり、位置座標検出の信頼性に問題を生じることになる。
【０００６】
本発明の目的は、位置座標検出の信頼性の向上を図ることができる座標入力装置を得ることである。
【０００７】
【課題を解決するための手段】
請求項１記載の発明は、光源と受光素子とを有する複数の受発光装置から出射された各照射光を交差させ、それらの各照射光を再帰性反射部材で各受発光装置に再帰反射させることにより形成される照射光走査領域である座標入力領域に挿入された指示手段の位置座標を検出する座標入力装置において、前記座標入力領域は略鉛直方向に配置され、前記座標入力領域の下端より下方に設けられた前記再帰性反射部材の反射面に対して傾いた傾斜面を有するテーパ形状であって少なくとも前記照射光の通過位置は透明である異物排除部材をその再帰性反射部材上に設ける。
【０００８】
したがって、複数の受発光装置の光源から出射される照射光の照射光走査領域である座標入力領域に挿入された指示手段の位置座標を検出する座標入力装置において、座標入力領域の下端より下方に設けられた再帰性反射部材の反射面に対して傾いた傾斜面を有するテーパ形状であって少なくとも照射光の通過位置は透明である異物排除部材が、座標入力領域の下端より下方に設けられた再帰性反射部材上に設けられることにより、異物排除部材上に達した異物は、その異物排除部材の傾斜面に沿って排除される。一方、照射光通過位置は透明であるので、照射光は異物排除部材を透過して再帰性反射部材において再帰反射される。これにより、座標入力領域の下端より下方に設けられた再帰性反射部材上への異物の堆積が防止され、異物の存在による誤った照射光の遮断が防止される。
【０００９】
請求項２記載の発明は、請求項１記載の座標入力装置において、前記座標入力領域の下端より下方に設けられた前記再帰性反射部材の反射面を前記座標入力領域に対して傾斜させて設け、前記異物排除部材を透過した前記照射光の前記再帰性反射部材の反射面への入射角を略垂直とする。
【００１０】
したがって、座標入力領域の下端より下方に設けられた再帰性反射部材の反射面を座標入力領域に対して傾斜させて設けることにより、異物排除部材を透過した照射光の再帰性反射部材の反射面への入射角を略垂直としたので、入射角に依存する受光素子における受光パワーの減衰が最低限度に留められる。
【００１３】
請求項３記載の発明は、光源と受光素子とを有する複数の受発光装置から出射された各照射光を交差させ、それらの各照射光を再帰性反射部材で各受発光装置に再帰反射させることにより形成される照射光走査領域である座標入力領域に挿入された指示手段の位置座標を検出する座標入力装置において、前記座標入力領域は略鉛直方向に配置され、所定の極性に帯電された導電性薄膜を前記座標入力領域の下端より下方に設けられた前記再帰性反射部材上の前記照射光の非通過位置に設ける。
【００１４】
したがって、例えば異物とは反対の極性に帯電された導電性薄膜が、座標入力領域の下端より下方に設けられた再帰性反射部材上の照射光の非通過位置に設けられることにより、再帰性反射部材上に達した異物は、その再帰性反射部材上の導電性薄膜によって電気的に吸着され、照射光に影響を与えることのない位置に排除される。一方、照射光通過位置には導電性薄膜は設けられていないので、照射光は再帰性反射部材において再帰反射される。これにより、座標入力領域の下端より下方に設けられた再帰性反射部材上への異物の堆積が防止され、異物の存在による誤った照射光の遮断が防止される。
【００１５】
請求項４記載の発明は、請求項３記載の座標入力装置において、前記再帰性反射部材の反射面に対して略直角に設けられ、その再帰性反射部材に直接入射する外部光線を遮断する遮光板を更に備える。
【００１６】
したがって、再帰性反射部材に直接入射する外部光線を遮断する遮光板が、再帰性反射部材の反射面に対して略直角に設けられる。これにより、再帰性反射部材に直接入射する外部光線が遮光板によって遮断されるので、再帰性反射部材による散乱光の発生が防止される。
【００１７】
請求項５記載の発明は、請求項１ないし４のいずれか一記載の座標入力装置において、前記座標入力領域の上端より上方に設けられ、その座標入力領域に沿って前記座標入力領域の上端から下端に向けて下方へ送風する送風装置を更に備える。
【００１８】
したがって、座標入力領域に沿って下方へ送風する送風装置が、座標入力領域の上端より上方に設けられる。これにより、座標入力領域内の異物は、上方からの送風によって座標入力領域に沿って前記座標入力領域の上端から下端に向けて下方の再帰性反射部材へと排除される。
【００１９】
【発明の実施の形態】
本発明の第一の実施の形態を図１に基づいて説明する。本実施の形態の座標入力装置は、電子黒板の筆記面に装着されて利用される座標入力装置に適用されている。
【００２０】
ここで、図１（ａ）は座標入力装置１の構成を概略的に示す正面図、（ｂ）はその側面図、（ｃ）は送風装置１２付近を主体に示すその断面図である。電子黒板の筆記面Ｅに装着される座標入力装置１は、四角形状の空間であって電子黒板の筆記面Ｅに略同一な広さを有する座標入力領域２を有している。この座標入力領域２の上方両端部には、光ビームの発光と受光とを行う受発光装置３（左側受発光装置３Ｌ、右側受発光装置３Ｒ）が設けられている。この受発光装置３（左側受発光装置３Ｌ、右側受発光装置３Ｒ）は、レーザ光を出射する光源であるレーザダイオード（以下、ＬＤとする。）４を備えている。このＬＤ４から出射されたレーザ光は、ハーフミラー５を透過した後、ここでは図示しないモータにより回転駆動されるポリゴンミラー６によって放射状に順次反射され、例えばＬ１，Ｌ２，・・・，Ｌｎ（Ｒ１，Ｒ２，・・・，Ｒｎ）といった光ビーム（プローブ光）として、座標入力領域２（電子黒板の筆記面Ｅ）の表面に沿って平行に繰り返し照射される。
【００２１】
また、座標入力装置１の内側であって座標入力領域２の上部を除く周辺部には、再帰性反射部材である再帰性反射シート７が設けられている。この再帰性反射シート７は、入射した光をその入射角度によらずに所定の位置に向けて反射する特性を有している。さらに、座標入力装置１の下部に設けられた再帰性反射シート７上には、テーパ形状面である傾斜面１１ａを有する異物排除部材１１が備えられている。この異物排除部材１１は、屈折率１．５程度の透明材料（例えば、光学ガラスやメタクリル樹脂の一種であるＰＭＭＡ等）で形成されている。
【００２２】
ここで、図２は座標入力装置１の一部を概略的に示す断面図である。図２に示すように、座標入力装置１の下部に設けられた再帰性反射シート７については、その反射面７ａを座標入力領域２（電子黒板の筆記面Ｅ）の鉛直方向に対して角度θだけ傾斜して設けられている。ここで、角度θは、異物排除部材１１に入射して屈折した光ビームを再帰性反射シート７の反射面７ａに対してほぼ垂直に入射させる角度である。このように光ビームを再帰性反射シート７の反射面７ａに対してほぼ垂直に光ビームを入射させることにより、後述する受光素子９において受光される光の光パワーの減衰を最低限度に留めることができ、座標入力装置１の位置座標検出の信頼性の向上が図れる。
【００２３】
そして、例えば左側受発光装置３Ｌから照射されたプローブ光Ｌ１は、異物排除部材１１を透過して再帰性反射シート７の反射面７ａにおいて反射され、再び同一光路を辿る再帰反射光Ｌ１´として左側受発光装置３Ｌに向かって進行する。再帰性反射シート７で反射されてポリゴンミラー６に戻った再帰反射光は、ハーフミラー５によって折り返され、集光レンズ８を通過して集光された後、受光素子９において受光される。受光素子９は、例えばＰＩＮフォトダイオードで構成されており、受光した再帰反射光の光パワーを電気信号（出力電圧値）に変換する。
【００２４】
この受光素子９には、ＣＰＵ等を備えたマイコン（図示せず）により制御される演算部１０が接続されている。この演算部１０は、受光素子９からの電気信号に基づいて指示手段である遮光物Ａの位置座標（ｘ，ｙ）を算出するものである。なお、演算部１０による遮光物Ａの位置座標（ｘ，ｙ）の算出法は、例えばポリゴンミラー６を回転させるモータのパルス数により遮光物Ａで遮断されたプローブ光の角度を求め、この角度に基づいて遮光物Ａの位置座標（ｘ，ｙ）の算出する等の周知の手法によるものである。
【００２５】
加えて、座標入力装置１の受発光装置３（左側受発光装置３Ｌ、右側受発光装置３Ｒ）と座標入力領域２との間には、送風装置１２が設けられている。次に、送風装置１２について説明する。図１（ｃ）に示すように、この送風装置１２には、座標入力装置１の両側面に開口した吸気口１３が設けられ、それらの吸気口１３の開口奥側には吸気用のファン１４がそれぞれ設けられている。これらファン１４の間には、空気送風経路１５が形成されている。この空気送風経路１５には、複数の送風孔１６ａを下部に備えた送風部１６が連設されている。この送風部１６は、電子黒板の筆記面Ｅの表面に沿って空気流ａを均等に送り得る構造となっている。なお、送風部１６は、ポリゴンミラー６からの光ビームに干渉しない高さとされている。
【００２６】
また、前述したマイコンがＬＤ４の発光タイミングとモータの駆動タイミングとを制御することにより、レーザ光が走査され、座標入力領域２が形成される。
【００２７】
このような構成において、例えば図１（ａ）に示すように、座標入力装置１の座標入力領域２を介して電子黒板の筆記面Ｅ上の適当な位置（ｘ，ｙ）を遮光物であるペンＡによって書き込みをした場合、受発光装置３（左側受発光装置３Ｌ、右側受発光装置３Ｒ）から照射されたプローブ光Ｌｎ，Ｒｎが遮られる。したがって、ペンＡによって遮られたプローブ光Ｌｎ，Ｒｎは再帰性反射シート７に到達することはないので、プローブ光Ｌｎ，Ｒｎの再帰反射光は受発光装置３（左側受発光装置３Ｌ、右側受発光装置３Ｒ）の各受光素子９に受光されることはない。すなわち、この場合には電気信号が受光素子９から出力されることはない。したがって、演算部１０は、電気信号の出力されなかったプローブ光Ｌｎ，Ｒｎのそれぞれの角度をこれらのプローブ光を出射した際のモータのパルス数に基づいて算出し、それらの角度に基づいてペンＡによって書き込まれた位置座標（ｘ，ｙ）を算出する。こうして算出された位置座標（ｘ，ｙ）は、ペンＡによる筆記面Ｅへの書き込みの電子データとして処理される。
【００２８】
一方、座標入力装置１が起動された場合、送風装置１２のそれぞれのファン１４の駆動が開始される。このファン１４の駆動によって、各吸気口１３からは空気が吸入され、空気送風経路１５内へと引き込まれる。空気送風経路１５内へと引き込まれた空気は送風部１６へと送られ、複数の送風孔１６ａから電子黒板の筆記面Ｅの表面に沿った複数の空気流ａとして送出される。このようにして送出された空気流ａは、電子黒板の筆記面Ｅに付着した異物であるゴミ等を吹き飛ばし、下方へ落下させる。また、落下したゴミ等は、空気流ａにより、異物排除部材１１の傾斜面１１ａに沿って座標入力装置１から排除される。
【００２９】
ここに、送風装置１２を設けて座標入力装置１の座標入力領域２内へ空気流ａを送出することにより、座標入力領域２内へのゴミ等の付着が防止されるとともに、座標入力装置１の座標入力領域２の下部に設けられた再帰性反射シート７上に異物排除部材１１を設けて落下したゴミ等を座標入力装置１から排除することにより、その再帰性反射シート７上におけるゴミ等の堆積が防止される。これにより、ゴミ等によってプローブ光が遮断されることによる誤った電子データの処理が防止されるので、座標入力装置１の位置座標検出の信頼性の向上が図れる。
【００３０】
次に、本発明の第二の実施の形態を図３に基づいて説明する。なお、本発明の第一の実施の形態において説明した図１及び図２の部分と同一部分については同一符号を用い、説明も省略する。
【００３１】
ここで、図３（ａ）は座標入力装置２０の構成を概略的に示す正面図、（ｂ）はその側面図である。本実施の形態の座標入力装置２０と本発明の第一の実施の形態の座標入力装置１とは、構造的には異物排除手段として機能する異物排除部材１１に代えて横送風装置２１を設けた点で異なるものである。
【００３２】
横送風装置２１は、座標入力装置２０の座標入力領域２の下部に設けられた再帰性反射シート７の長手方向端部のいずれか一方に設けられている。この横送風装置２１には、吸気口２２が設けられ、その吸気口２２の近傍には吸気用のファン２３が設けられている。なお、横送風装置２１は、ファン２３によって吸気された空気を再帰性反射シート７の表面に沿って横方向から空気流ｂを送り得る構造となっている。
【００３３】
このような構成において、座標入力装置２０が起動された場合、送風装置１２のそれぞれのファン１４の駆動が開始されるとともに、横送風装置２１のファン２３の駆動が開始される。送風装置１２の各ファン１４の駆動により、送風部１６の複数の送風孔１６ａからは電子黒板の筆記面Ｅの表面に沿った複数の空気流ａが送出される。一方、横送風装置２１のファン２３の駆動により、再帰性反射シート７の表面に沿って空気流ｂが送出される。このようにして送出された空気流ａは、電子黒板の筆記面Ｅに付着したゴミ等を吹き飛ばし、下方へ落下させる。また、落下したゴミ等は、横方向からの空気流ｂにより、再帰性反射シート７の表面に沿って吹き飛ばされ、座標入力装置２０から排除される。
【００３４】
ここに、送風装置１２を設けて座標入力装置２０の座標入力領域２内へ空気流ａを送出することにより、座標入力領域２内へのゴミ等の付着が防止されるとともに、座標入力装置２０の座標入力領域２の下部に設けられた再帰性反射シート７の長手方向端部のいずれか一方に横送風装置２１を設けて横方向からの空気流ｂを送出して落下したゴミ等を座標入力装置２０から排除することにより、その再帰性反射シート７上におけるゴミ等の堆積が防止される。これにより、ゴミ等によってプローブ光が遮断されることによる誤った電子データの処理が防止されるので、座標入力装置２０の位置座標検出の信頼性の向上が図れる。
【００３５】
次に、本発明の第三の実施の形態を図４及び図５に基づいて説明する。なお、本発明の第一又は第二の実施の形態において説明した図１ないし図３の部分と同一部分については同一符号を用い、説明も省略する。
【００３６】
ここで、図４（ａ）は座標入力装置３０の構成を概略的に示す正面図、（ｂ）はその側面図である。本実施の形態の座標入力装置３０と本発明の第一の実施の形態の座標入力装置１とは、構造的には異物排除手段として機能する異物排除部材１１に代えて導電性薄膜３１を設け、かつ、再帰性反射シート７毎に遮光板３２を備えた点で異なるものである。
【００３７】
導電性薄膜３１は、座標入力装置３０の座標入力領域２の下部に設けられた再帰性反射シート７のプローブ光通過位置以外の部分に備えられる。この導電性薄膜３１は、酸化インジウム等の導電性の薄膜材料によって形成されており、ゴミ等の帯電電位の極性とは反対の極性を付与されている。ここでは、ゴミ等は負極に帯電し、導電性薄膜３１は正極に帯電しているものとする。
【００３８】
また、遮光板３２は、不透明な材料で形成されており、再帰性反射シート７の側縁部に反射面７ａに対して垂直に設けられ、各再帰性反射シート７に対する外部光線の直接入射を少なくとも防止する。なお、遮光板３２は、電子黒板の筆記面Ｅに対して干渉しない位置に設けられる。
【００３９】
このような構成において、座標入力装置３０が起動された場合、送風装置１２のそれぞれのファン１４の駆動が開始される。そして、送風装置１２の各ファン１４の駆動により、送風部１６の複数の送風孔１６ａからは電子黒板の筆記面Ｅの表面に沿った複数の空気流ａが送出される。このようにして送出された空気流ａは、電子黒板の筆記面Ｅに付着したゴミ等を吹き飛ばし、座標入力領域２の下部に設けられた再帰性反射シート７上へと落下させる。また、座標入力領域２の下部に設けられた再帰性反射シート７上へと落下したゴミ等は、その再帰性反射シート７上の導電性薄膜３１によって電気的に吸着される。この場合、プローブ光通過位置には導電性薄膜３１は備えられていないので、ゴミ等はプローブ光に影響を与えることのない位置に排除される。
【００４０】
一方、外部照明から照射される外部光線について考える。ここで、図５は座標入力装置３０の一部を概略的に示す断面図である。図５に示すように、たとえ外部照明から外部光線ｃが照射されている場合であっても、遮光板３２を設けたことによって再帰性反射シート７上への外部光線ｃの直接入射が防止され、散乱光の発生が防止される。
【００４１】
ここに、送風装置１２を設けて座標入力装置３０の座標入力領域２内へ空気流ａを送出することにより、座標入力領域２内へのゴミ等の付着が防止されるとともに、座標入力装置３０の座標入力領域２の下部に設けられた再帰性反射シート７のプローブ光通過位置以外の部分に導電性薄膜３１を備えて落下したゴミ等を電気的に吸着することにより、その再帰性反射シート７上のプローブ光通過位置におけるゴミ等の堆積が防止される。これにより、ゴミ等によってプローブ光が遮断されることによる誤った電子データの処理が防止されるので、座標入力装置３０の位置座標検出の信頼性の向上が図れる。
【００４２】
また、遮光板３２を設けて再帰性反射シート７上への外部光線ｃの直接入射を防止し、散乱光の発生を防止することにより、受光素子９での受光ノイズの発生が防止される。これにより、異常な電子データの処理が防止されるので、座標入力装置３０の信頼性の更なる向上が図れる。
【００４３】
なお、各実施の形態においては、開閉自在なシャッタ機構を再帰性反射シート７上に更に設け、装置使用の場合にのみ開放するようにしても良い。これにより、装置を使用しない場合における再帰性反射シート７へのゴミ等の付着・堆積が防止される。
【００４４】
また、各実施の形態においては、座標入力装置の起動と同時に遮蔽物を検知した場合には、ゴミ等が存在するものとみなして、報知手段として音声や光等でゴミ等の存在を報知するようにしても良い。
【００４５】
【発明の効果】
請求項１記載の発明によれば、複数の受発光装置の光源から出射される照射光の照射光走査領域である座標入力領域に挿入された指示手段の位置座標を検出する座標入力装置の座標入力領域の下端より下方に設けられた再帰性反射部材上に、その再帰性反射部材の反射面に対して傾いた傾斜面を有するテーパ形状であって少なくとも照射光の通過位置は透明である異物排除部材を設け、異物排除部材上に達した異物をその異物排除部材の傾斜面に沿って排除して座標入力領域の下端より下方に設けられた再帰性反射部材上への異物の堆積を防止するとともに、照射光を異物排除部材内を透過させて再帰性反射部材において再帰反射させることにより、異物の存在による誤った照射光の遮断を防止し、誤った電子データの処理を防止することができるので、座標入力装置の位置座標検出の信頼性の向上を図ることができる。
【００４６】
請求項２記載の発明によれば、請求項１記載の座標入力装置において、座標入力領域の下端より下方に設けられた再帰性反射部材の反射面を座標入力領域に対して傾斜させて設けることにより、異物排除部材を透過した照射光の再帰性反射部材の反射面への入射角を略垂直としたので、入射角に依存する受光素子における受光パワーの減衰を最低限度に留めることができる。
【００４８】
請求項３記載の発明によれば、複数の受発光装置の光源から出射される照射光の照射光走査領域である座標入力領域に挿入された指示手段の位置座標を検出する座標入力装置の座標入力領域の下端より下方に設けられた再帰性反射部材上の照射光の非通過位置に所定の極性に帯電された導電性薄膜を設け、再帰性反射部材上に達した異物をその異物の極性とは反対の極性に帯電された導電性薄膜によって電気的に吸着し、照射光に影響を与えることのない位置に排除して座標入力領域の下端より下方に設けられた再帰性反射部材上への異物の堆積を防止するとともに、照射光通過位置には導電性薄膜を設けないで照射光を再帰性反射部材において再帰反射させることにより、異物の存在による誤った照射光の遮断を防止し、誤った電子データの処理を防止することができるので、座標入力装置の位置座標検出の信頼性の向上を図ることができる。
【００４９】
請求項４記載の発明によれば、請求項３記載の座標入力装置において、再帰性反射部材に直接入射する外部光線を遮断する遮光板を再帰性反射部材の反射面に対して略直角に設けることにより、再帰性反射部材に直接入射する外部光線を遮光板によって遮断し、再帰性反射部材による散乱光の発生を防止するので、受光素子での受光ノイズの発生を防止することができ、異常な電子データの処理を防止することができる。
【００５０】
請求項５記載の発明によれば、請求項１ないし４のいずれか一記載の座標入力装置において、座標入力領域に沿って前記座標入力領域の上端から下端に向けて下方へ送風する送風装置を座標入力領域の上端より上方に設けることにより、座標入力領域内の異物を上方からの送風によって座標入力領域に沿って下方の再帰性反射部材へと排除するので、座標入力領域内での異物の肥大を防止することができる。
【図面の簡単な説明】
【図１】本発明の第一の実施の形態の座標入力装置を示し、（ａ）は座標入力装置の構成を概略的に示す正面図、（ｂ）はその側面図、（ｃ）は送風装置付近を主体に示すその断面図である。
【図２】座標入力装置の一部を概略的に示す断面図である。
【図３】本発明の第二の実施の形態の座標入力装置を示し、（ａ）は座標入力装置の構成を概略的に示す正面図、（ｂ）はその側面図である。
【図４】本発明の第三の実施の形態の座標入力装置を示し、（ａ）は座標入力装置の構成を概略的に示す正面図、（ｂ）はその側面図である。
【図５】座標入力装置の一部を概略的に示す断面図である。
【符号の説明】
２          座標入力領域
３          受発光装置
４          光源
７          再帰性反射部材
７ａ        再帰性反射部材の反射面
９          受光素子
１１        異物排除部材
１１ａ      異物排除部材の傾斜面
１２        送風装置
２１        横送風装置
３１        導電性薄膜
３２        遮光板
Ａ          指示手段
Ｌｎ，Ｒｎ  光ビーム
【図１】
0003817069.tif 000002
【図２】
0003817069.tif 000003
【図３】
0003817069.tif 000004
【図４】
0003817069.tif 000005
【図５】
0003817069.tif 000006